(57)【要約】【課題】他の遊技球との連繋の良し悪しにより入賞率が変化するようにし弾球遊技機用役物を面白くて興味あるものにする。【解決手段】ステージ１５ａ，１５ｂ上に入賞口５に連なる入賞球通路１６を緩やかな前傾状に形成し、該入賞球通路の両路肩部に遊技球Ｂの該入賞球通路からの脱落を防ぐ遮板１８ａ，１８ｂを出没自在なるように設けると共に、該遮板は夫々天秤状に傾動自在に設けられた一対の傾動部材２１ａ，２１ｂに設けられ、該傾動部材には中心に落下口２３ａ，２３ｂが形成されたスリ鉢状の球受留体２２ａ，２２ｂが夫々設けられ、該球受留体上に乗る遊技球Ｂの重量により該傾動部材が傾動することで前記遮板が出没動するようにした。【選択図】図１
2008036014.tif 000002
【特許請求の範囲】
【請求項１】
傾動自在に設けられた一対の傾動部材に夫々球受留体を設け、該球受留体上に乗る遊技球の重量により該傾動部材が傾動することにより入賞口に連なる入賞球通路の概況を変動させ入賞率を変化させるようにしたことを特徴とする弾球遊技機用役物。
【請求項２】
ステージ上に入賞口に連なる入賞球通路を緩やかな前傾状に形成し、該入賞球通路の両路肩部に遊技球の該入賞球通路からの脱落を防ぐ遮板を出没自在なるように設けると共に、該遮板は夫々天秤状に傾動自在に設けられた一対の傾動部材に設けられ、該傾動部材には中心に落下口が形成されたスリ鉢状の球受留体が夫々設けられ、該球受留体上に乗る遊技球の重量により該傾動部材が傾動することで前記遮板が出没動するように構成したことを特徴とする弾球遊技機用役物。
【請求項３】
ステージ上に入賞口に連なる入賞球通路を緩やかな前傾状に形成し、該入賞球通路の両路肩部に遊技球の該入賞球通路からの脱落を防ぐ遮板を出没自在なるように設けると共に、該遮板は夫々天秤状に傾動自在に設けられた一対の傾動部材に設けられ、該傾動部材には蛇行状通路が形成された球受留体が夫々形成され、該球受留体上に乗る遊技球の重量により該傾動部材が傾動することで前記遮板が出没動するように構成したことを特徴とする弾球遊技機用役物。
【発明の詳細な説明】
【技術分野】
【０００１】
本発明は、パチンコ遊技機、アレンジボール機、雀球遊技機等の弾球遊技機の遊技盤面上に設けられる弾球遊技機用役物に関するものである。
【背景技術】
【０００２】
パチンコ遊技機に代表される遊技球の遊技盤面には、複数の入賞装置や各種役物が設けられ、遊技盤面上に発射された遊技球に変化に富んだ面白い動きをさせて遊技者を楽しませるようにしている。例えば下記特許文献１に示された入賞装置は、遊技球を貯留し得る可動体を設け、遊技球が数個溜まるとその重みにより可動体が鹿脅しのように傾動し、該可動体上の遊技球が放出されるようにしたものである。
【特許文献１】特開２００２−３６０８３０号公報
【特許文献２】特開２００２−８５６７６号公報
【特許文献３】特許第２８１１０３１号公報
【０００３】
また、特許文献２には、遊技球の荷重により可動部が傾動し遊技球の動きを変化に富んだものとする遊技装置が示され、特許文献３には、一対のガイド棒の上に遊技球が導かれるようにし、該ガイド棒の間隔を変化させることにより遊技球を転動、又は落下させる弾球遊技機用役物が開示されている。
【発明の開示】
【発明が解決しようとする課題】
【０００４】
ところで、従来のこれらの弾球遊技機用役物では、１つの遊技球の動きを面白いものにできるにしても、他の遊技球の動きとは関係なく入賞の成否が決められるものが大多数であったので遊技者の興味を十分に惹き付けることができない欠点があった。
【０００５】
そこで本発明は、従来よりも一層面白くて興味ある弾球遊技機用役物を提供しようとするものである。
【課題を解決するための手段】
【０００６】
そのために請求項１に記載した弾球遊技機用役物の発明は、傾動自在に設けられた一対の傾動部材に夫々球受留体を設け、該球受留体上に乗る遊技球の重量により該傾動部材が傾動することにより入賞口に連なる入賞球通路の概況を変動させ入賞率を変化させるようにしたことを特徴とする。
また請求項２に記載した弾球遊技機用役物の発明は、ステージ上に入賞口に連なる入賞球通路を緩やかな前傾状に形成し、該入賞球通路の両路肩部に遊技球の該入賞球通路からの脱落を防ぐ遮板を出没自在なるように設けると共に、該遮板は夫々天秤状に傾動自在に設けられた一対の傾動部材に設けられ、該傾動部材には中心に落下口が形成されたスリ鉢状の球受留体が夫々設けられ、該球受留体上に乗る遊技球の重量により該傾動部材が傾動することで前記遮板が出没動するように構成したことを特徴とする。
また請求項３に記載した弾球遊技機用役物の発明は、ステージ上に入賞口に連なる入賞球通路を緩やかな前傾状に形成し、該入賞球通路の両路肩部に遊技球の該入賞球通路からの脱落を防ぐ遮板を出没自在なるように設けると共に、該遮板は夫々天秤状に傾動自在に設けられた一対の傾動部材に設けられ、該傾動部材には蛇行状通路が形成された球受留体が夫々形成され、該球受留体上に乗る遊技球の重量により該傾動部材が傾動することで前記遮板が出没動するように構成したことを特徴とする。
【発明の効果】
【０００７】
本発明の弾球遊技機用役物では、１つの遊技球の入賞の成否が他の遊技球が流入するタイミングの良し悪し、即ち、連繋の良し悪しにより決まることから、意外性もあり面白くて興味ある弾球遊技機用役物を提供することができる。
【発明を実施するための最良の形態】
【０００８】
次に本発明の実施形態を図面に従い説明する。図１〜図６は請求項１，２に記載した弾球遊技機用役物の実施形態を示すもので、図１は斜視図、図２は正面図、図３は横断面図、図４は縦断面図である。役物ケース１は前面が開口した箱状に形成されその開口縁に取付板２が一体に形成されており、図３に遊技盤３への取付状態を示したように、該遊技盤３の開口部３ａに該役物ケース１が収容され、取付板２が該遊技盤３の前面に固着される。４ａ，４ｂは該遊技盤面上を流下する遊技球が捕捉されるように該ケース体１の前面上部に傾斜状に設けられた一対の球導入樋である。また、５は該ケース体１の下方で該遊技盤上中央部に設けられた入賞口（特別入賞口）である。そして、該入賞口の真上に位置するように該ケース体１の前面下部に縦筒状の入賞球案内樋６が形成され、該入賞球案内樋６の両側にハズレ球案内樋７ａ，７ｂが形成される。なお、８は遊技盤面上に遊技球を案内するため多数本固植されている釘である。
【０００９】
役物ケース１内上部にはスリ鉢状に中央部が低くなるように形成された円形状の球導入皿１０を前記球導入樋２ａ，２ｂの傾斜下端部と連なるように形成し、該球導入皿１０の中心部に３つの落下口１１ａ，１１ｂ，１１ｃを寄り合うように形成し、該落下口の下部に幅広の球案内樋１２を後傾状に形成し、該球案内樋の傾斜下端部には正面から見て真中に位置する直下降樋１３と該直下降樋の両側に位置するように傾斜状樋１４ａ，１４ｂを形成する。
【００１０】
また、役物ケース１内下部中央にステージ１５ａ，１５ｂが緩やかな前傾状に形成され、該ステージの中央部に入賞球通路１６が突堤状（横断面山形状）である、かつ緩やかな前傾状なるように形成され、前記直下降樋１３の下端を該入賞球通路１６の後端部に合致させると共に、該入賞球通路１６の前端を前記入賞球案内樋６の直上に合致させる。
【００１１】
また、入賞球通路１６の両路肩部にスリット状の長孔１７ａ，１７ｂを形成し、該長孔から出没自在なるように遮板１８ａ，１８ｂを設ける。
【００１２】
一方、ステージ１５の両サイドには突堤１９ａ，１９ｂが形成され、該突堤に支軸２０ａ，２０ｂが貫挿され、該支軸によって一対の傾動部材２１ａ，２１ｂを天秤状に傾動自在なるように枢支し、該傾動部材の内端部に前記遮板１８ａ，１８ｂを一体に形成し、該傾動部材の外端部には球受留体２２ａ，２２ｂを夫々設ける。該球受留体２２ａ，２２ｂはスリ鉢状に中央部が低くなるように形成された円形皿状であってその中心部に落下口２３ａ，２３ｂが夫々形成されている。そして、前記傾斜状樋１４ａ，１４ｂの下端が夫々該球受留体２２ａ，２２ｂ上に接線状に連なるように配置している。なお、２４ａ，２４ｂは遮板１８ａ，１８ｂと球受留体２２ａ，２２ｂとのバランスを採るために傾動部材２１ａ，２１ｂに設けられた重りで、該重りによって常態では遮板１８ａ，１８ｂが長孔１７ａ，１７ｂ中に没するように設定される。また、落下口２３ａ，２３ｂの下には前記ハズレ球案内樋７ａ，７ｂに向けて傾斜する傾斜通路２５ａ，２５ｂが形成されている。
【００１３】
このように構成した弾球遊技機用役物では、球導入樋４ａ，４ｂから球導入皿１０上に流入した遊技球Ｂが、その勢いにより該球導入皿１０上にて転動し円を描くように旋回した後に３つの落下口１１ａ，１１ｂ，１１ｃの内のいずれかから球案内樋１２に落下する。そして、概ね左側の落下口１１ａに落ちた遊技球Ｂは傾斜状樋１４ａを通って球受留体２２ａに導かれ、右側の落下口１１ｂに落ちた遊技球Ｂは傾斜状樋１４ｂを通って球受留体２２ｂに導かれ、中央の落下口１１ｃに落ちた遊技球Ｂは直下降樋１３を通って入賞球通路１６に導かれる。
【００１４】
球受留体２２ａ，２２ｂに遊技球Ｂが導かれると該遊技球の重量によって該各傾動部材２１ａ，２１ｂの外端部が重くなるので、図５に示したように、傾動して遮板１８ａ，１８ｂを突出させる。また、球受留体２２ａ，２２ｂに導かれた遊技球Ｂはその勢いで該球受留体上にて転動し円を描くように旋回し、数秒間旋回した後に落下口２３ａ，２３ｂより落ちるので、遊技球Ｂが乗っている間は遮板１８ａ，１８ｂが突出状態に維持される。このため入賞球通路１６に導かれた遊技球Ｂは該遮板１８ａ，１８ｂによって該入賞球通路からの脱落が防がれ該入賞球通路上を真直前方に転動し、入賞球案内樋６を経て入賞口５に入賞し易くなる。
【００１５】
一方、球受留体２２ａ，２２ｂ上に遊技球がない時は図１〜図４に示したように遮板１８ａ，１８ｂが没しているので、遊技球Ｂは入賞球通路１６上からステージ１５ａ，１５ｂ上に脱落し易く、脱落した遊技球Ｂは該ステージの傾斜により概ねハズレ球案内樋７ａ，７ｂに導かれることから入賞口５に入賞する可能性は非常に少なくなる。また、落下口２３ａ，２３ｂより落ちた遊技球Ｂは同じく傾斜通路２５ａ，２５ｂを流下してハズレ球案内樋７ａ，７ｂに導かれることから入賞する可能性は少ない。
【００１６】
また、球受留体２２ａ，２２ｂのうちの一方にだけ遊技球Ｂが乗っていると、図６に示したように一方の遮板１８ａまたは１８ｂだけが突出状態となるので、入賞球通路１６上の遊技球Ｂは一方にだけは落下することなく該入賞球通路１６上を転動し得るので、入賞口５に入賞する可能性がある。
【００１７】
このように本発明の弾球遊技機用役物は、一対の球受留体２２ａ，２２ｂを設けたことにより、遊技球Ｂが入賞球通路１６を通って入賞口５に入賞する確率を多様に制御することができる。即ち、他の遊技球Ｂがタイミング良く球受留体上に乗っていた場合には入賞球通路１６を通って遊技球が入賞し易くなるので、他の遊技球Ｂとの連繋の良し悪しにより入賞率が大きく変化し、遊技球に斬新で面白い動きをさせることができるとともに、入賞に意外性を持たせ遊技者の興味を惹き付けることができる。
【００１８】
なお、図７に示した実施形態は、上記ステージ１５ａ，１５ｂを夫々左傾斜状、右傾斜状に形成し、入賞球通路１６から該ステージ１５ａ，１５ｂ上に脱落した遊技球Ｂが夫々球受留体２２ａ，２２ｂ上に流下するように構成したものである。このように遊技球Ｂを球受留体２２ａ，２２ｂ上に導くにはこの実施形態以外にも種々の経路を構想することができる。
【００１９】
一方、図８〜図１１は請求項３に記載した発明の実施形態を示す。この実施形態に示した弾球遊技機用役物は、上記実施形態における球受留体２２ａ，２２ｂの形状を蛇行状通路が形成されたものにしたもので、図８に示したように、平面長方形状に形成された球受留体２２ａ，２２ｂは、前方向に向けて緩やかに下傾する蛇行状通路３０ａ，３０ｂが形成され、該球受留体２２ａ，２２ｂはその略々真下に設けられた支軸２０ａ，２０ｂによって傾動自在なるように枢支され、該球受留体２２ａ，２２ｂから内方に延びる傾動部材１９ａ，１９ｂの内端部に遮板１８ａ，１８ｂが一体に形成され、該遮板１８ａ，１８ｂが入賞球通路１６の両路肩部に形成された長孔１７ａ，１７ｂから出没し得るように構成している。その他の構成は上記実施形態と同様であるので、上記実施形態と同一符号を付すことでその説明を省略する。
【００２０】
このためこの実施形態に示した弾球遊技機用役物では、傾斜状樋１４ａ，１４ｂを通って球受留体２２ａ，２２ｂの蛇行状通路３０ａ，３０ｂに遊技球Ｂが導かれ、該遊技球は該球受留体２２ａ，２２ｂ上にてその通路の蛇行に従い右往左往し、該遊技球の荷重が支軸２０ａ，２０ｂの右側又は左側に交互に掛かることから図１０，図１１に示したように遮板１８ａ，１８ｂが出没動し、入賞球通路１６に導かれた遊技球Ｂの脱落を該遮板が突出することで防がれることから該遊技球Ｂを入賞口５に入賞し易くする。該遊技球Ｂが蛇行状通路３０ａ，３０ｂを通過するのに数秒間を要することからその間の遮板１８ａ，１８ｂが出動しているタイミングで遊技球Ｂが入賞球通路１６を通ることでその遊技球の入賞口５への入賞率は高くなる。なお、蛇行状通路３０ａ，３０ｂを通過した遊技球Ｂはハズレ球案内樋７ａ，７ｂに導かれる。
従ってこの実施形態に示した弾球遊技機用役物においても、他の遊技球との連繋の良し悪し、タイミングの良し悪しにより、入賞率が変化すると共に、遊技球に面白い動きをさせることができるので、遊技者の興味が惹き付けられる。
【００２１】
なお、遊技球を数秒間停留させる球受留体については上記実施形態の他に種々の形状を想定できる。また、左右の球受留体は必ずしも上記実施形態のように同一形状のものとしなくてもよく、左右の球受留体を夫々個々に特徴のある形状のものとしてもよく、例えば一方に図１〜図７に示した形状の球受留体を設け、他方に図８〜図１１示した形状の球受留体を設けてもよい。
【産業上の利用可能性】
【００２２】
本発明に係る役物は、この実施形態に示したパチンコ遊技機に限らず、アレンジボール機、雀球遊技機等の弾球遊技機に設けることができる。
【図面の簡単な説明】
【００２３】
【図１】本発明に係る弾球遊技機用役物の斜視図。
【図２】本発明に係る弾球遊技機用役物の正面図。
【図３】本発明に係る弾球遊技機用役物の遊技盤への取付状態を示した横断面図。
【図４】本発明に係る弾球遊技機用役物の縦断面図。
【図５】図４の作動状態図。
【図６】図４の作動状態図。
【図７】本発明に係る弾球遊技機用役物の他の実施形態を示す縦断面図。
【図８】本発明に係る弾球遊技機用役物の他の実施形態を示す球受留体の斜視図。
【図９】図８に示した球受留体が設けられた弾球遊技機用役物の縦断面図。
【図１０】図９の作動状態図。
【図１１】図９の作動状態図。
【符号の説明】
【００２４】
５                入賞口
１５ａ，１５ｂ    ステージ
１６              入賞球通路
１７ａ，１７ｂ    長孔
１８ａ，１８ｂ    遮板
２０ａ，２０ｂ    支軸
２１ａ，２１ｂ    傾動部材
２２ａ，２２ｂ    球受留体
２３ａ，２３ｂ    落下口
３０ａ，３０ｂ    蛇行状通路
Ｂ                遊技球
【図１】
2008036014.tif 000003
【図２】
2008036014.tif 000004
【図３】
2008036014.tif 000005
【図４】
2008036014.tif 000006
【図５】
2008036014.tif 000007
【図６】
2008036014.tif 000008
【図７】
2008036014.tif 000009
【図８】
2008036014.tif 000010
【図９】
2008036014.tif 000011
【図１０】
2008036014.tif 000012
【図１１】
2008036014.tif 000013